(57)【特許請求の範囲】
【請求項１】
平坦な上面を備え、複数の充分な径の大孔が形成された固定板と、
該固定板の周囲に配設された枠体と、
前記固定板の前記上面にスライド可能に配設され、種子が通過し得る複数の小孔が前記固定板の前記複数の大孔に対応して形成されるとともに、該小孔の径の０．４ないし２倍の厚さを有する薄肉のスライド板とから成る育苗用播種装置において、
前記スライド板の周辺部の下面に低摩擦材によって構成された厚肉部を形成するとともに、前記固定板の該厚肉部に対応する部分に溝部を形成して、前記スライド板のガイド機構を構成するようにしたことを特徴とする育苗用播種装置。
【発明の詳細な説明】
【０００１】
【産業上の利用分野】
本発明は、微小種子が通過し得る複数の小孔が形成され、該小孔の径の０．４ないし２倍の厚さを有する薄肉のスライド板を備え、花の種子、特にそのコート種子のような微小種子をペーパーポットやプラスチック製の連結ポットに能率良く播種する育苗用播種装置に関する。
【０００２】
【従来の技術】
従来の育苗用播種装置（実開昭５９−２１８２０）は、図８に示すように複数の大孔Ｌを形成した固定板Ｆとほぼ同じ厚さのスライド板Ｓに形成した複数の小孔Ｋの上部にテーパ部Ｔを形成して、種子の落下を促進して、作業能率を高めるものであった。
【０００３】
【発明が解決しようとする課題】
上記従来の育苗用播種装置は、前記スライド板Ｓの小孔Ｋの上部にテーパ部Ｔを形成しているものの、比較的大きな野菜の種子を播種するもので、前記スライド板Ｓの厚さが前記固定板Ｆとほぼ同じ厚さであるため、花の種子、特にそのコート種子のような微小種子をペーパーポットやプラスチック製の連結ポットに能率良く播種することが出来ないという問題があった。
【０００４】
そこで本発明者は、スライド板を種子が通過し得る小孔の径の０．４ないし２倍の厚さの薄肉にするという本発明の技術的思想に着眼し、更に研究開発を重ねて、花の種子、特にそのコート種子のような微小種子をペーパーポットやプラスチック製の連結ポットに能率良く播種するという目的を達成する本発明に到達した。
【０００５】
【課題を解決するための手段】
本発明（第１発明）の育苗用播種装置は、
平坦な上面を備え、複数の充分な径の大孔が形成された固定板と、
該固定板の周囲に配設された枠体と、
前記固定板の前記上面にスライド可能に配設され、種子が通過し得る複数の小孔が前記固定板の前記複数の大孔に対応して形成されるとともに、該小孔の径の０．４ないし２倍の厚さを有する薄肉のスライド板と
から成るものである。
【０００６】
本発明（第２発明）の育苗用播種装置は、
第１発明において、
前記スライド板において、小孔の孔径が、１．０ないし２．５ｍｍの範囲内に設定されるとともに、該スライド板の厚さが１．０ないし２．０ｍｍの範囲内に設定されているものである。
すなわち、本第２発明において、コート種子の粒径とスライド板の穴径と厚さの関係を例示すると表１に示すようになる。
【表１】
0003590452.tif 000002
【０００７】
本発明（第３発明）の育苗用播種装置は、
第１発明において、
前記スライド板の周辺部の上面に厚肉部を形成した
ものである。
【０００８】
本発明（第４発明）の育苗用播種装置は、
第３発明において、
前記スライド板の中央部の上面にリブを配設したものである。
【０００９】
本発明（第５発明）の育苗用播種装置は、
第１発明において、
前記スライド板が低摩擦材によって構成されている
ものである。
【００１０】
本発明（請求項１に記載の第６発明）の育苗用播種装置は、
第１発明において、
前記スライド板の周辺部の下面に低摩擦材によって構成された厚肉部を形成するとともに、前記固定板の該厚肉部に対応する部分に溝部を形成して、前記スライド板のガイド機構を構成するようにした
ものである。
【００１１】
【作用】
上記構成より成る第１発明の育苗用播種装置は、周囲に枠体が配設され、平坦な上面を備えた前記固定板の前記上面上において、前記小孔の径の０．４ないし２倍の厚さを有する薄肉の前記スライド板をスライドさせると、該スライド板の上面に供給された種子が、前記固定板の前記複数の大孔に対応して形成された前記複数の小孔を通過するとともに、前記固定板に形成された複数の充分な径の大孔を通過するものである。
【００１２】
上記構成より成る第２発明の育苗用播種装置は、周囲に枠体が配設され、平坦な上面を備えた前記固定板の前記上面上において、１．０ないし２．０ｍｍの範囲内の厚さに設定された薄肉の前記スライド板をスライドさせると、該スライド板の上面に供給された種子が、前記固定板の前記複数の大孔に対応して形成され、１．０ないし２．５ｍｍの範囲内の孔径に設定された前記複数の小孔を通過するとともに、前記固定板に形成された複数の充分な径の大孔を通過するものである。
【００１３】
上記構成より成る第３発明の育苗用播種装置は、周囲に枠体が配設され、平坦な上面を備えた前記固定板の前記上面上において、前記小孔の径の０．４ないし２倍の厚さを有する薄肉であって前記周辺部の上面に厚肉部を形成した前記スライド板をスライドさせると、該スライド板の上面に供給された種子が、前記固定板の前記複数の大孔に対応して形成された前記複数の小孔を通過するとともに、前記固定板に形成された複数の充分な径の大孔を通過するものである。
【００１４】
上記構成より成る第４発明の育苗用播種装置は、周囲に枠体が配設され、平坦な上面を備えた前記固定板の前記上面上において、前記小孔の径の０．４ないし２倍の厚さを有する薄肉であって前記周辺部の上面に厚肉部を形成するとともに前記スライド板の中央部の上面にリブを配設した前記スライド板をスライドさせると、該スライド板の上面に供給された種子が、前記固定板の前記複数の大孔に対応して形成された前記複数の小孔を通過するとともに、前記固定板に形成された複数の充分な径の大孔を通過するものである。
【００１５】
上記構成より成る第５発明の育苗用播種装置は、周囲に枠体が配設され、平坦な上面を備えた前記固定板の前記上面上において、前記小孔の径の０．４ないし２倍の厚さを有するとともに低摩擦材によって構成されている薄肉の前記スライド板をスライドさせると、該スライド板の上面に供給された種子が、前記固定板の前記複数の大孔に対応して形成された前記複数の小孔を通過するとともに、前記固定板に形成された複数の充分な径の大孔を通過するものである。
【００１６】
上記構成より成る第６発明の育苗用播種装置は、周囲に枠体が配設され、平坦な上面を備えた前記固定板の前記上面および前記スライド板の前記厚肉部に対応する部分に形成された前記溝部によって構成される前記ガイド機構上において、前記小孔の径の０．４ないし２倍の厚さを有する薄肉であって前記周辺部の下面に低摩擦材の厚肉部を形成した前記スライド板をスライドさせると、該スライド板の上面に供給された種子が、前記固定板の前記複数の大孔に対応して形成された前記複数の小孔を通過するとともに、前記固定板に形成された複数の充分な径の大孔を通過するものである。
【００１７】
【発明の効果】
上記作用を奏する第１発明の育苗用播種装置は、前記スライド板のスライドによって、供給された種子が、前記小孔の径に対して所定の厚さの薄肉の前記スライド板の前記複数の小孔を通過するので、花の種子、特にそのコート種子のような微小種子をペーパーポットやプラスチック製の連結ポットに能率良く播種するという効果を奏する。
【００１８】
上記作用を奏する第２発明の育苗用播種装置は、前記第１発明の効果に加え、前記種子が、１．０ないし２．０ｍｍの範囲内の厚さに設定された薄肉の前記スライド板に形成された１．０ないし２．５ｍｍの範囲内の孔径に設定された前記複数の小孔を通過するので、一層能率良く播種するという効果を奏する。
【００１９】
上記作用を奏する第３発明の育苗用播種装置は、前記第１発明の効果に加え、前記スライド板の前記周辺部の上面に厚肉部が形成され、前記スライド板を補強するとともに平坦度を高めるので、前記スライド板のスライドを滑らかにするとともに、一層能率良く播種するという効果を奏する。
【００２０】
上記作用を奏する第４発明の育苗用播種装置は、前記第３発明の効果に加え、前記スライド板の中央部の上面にリブを配設したため、前記スライド板を補強するとともに平坦度を高めるので、前記スライド板のスライドを滑らかにするとともに、一層能率良く播種するという効果を奏する。
【００２１】
上記作用を奏する第５発明の育苗用播種装置は、前記第１発明の効果に加え、前記スライド板が、低摩擦材によって構成されているため、前記固定板の上面上における前記スライド板のスライドを滑らかにするとともに、一層能率良く播種するという効果を奏する。
【００２２】
上記作用を奏する第６発明の育苗用播種装置は、前記第１発明の効果に加え、前記固定板の前記スライド板の低摩擦材の前記厚肉部に対応する部分に形成された前記溝部によって構成される前記ガイド機構に沿ってスライドさせるので、前記スライド板のスライドを確実且つ安定させるとともに、一層能率良く播種するという効果を奏する。
【００２３】
【実施例】
以下本発明の実施例につき、図面を用いて説明する。
【００２４】
（第１実施例）
第１実施例の育苗用播種装置は、図１ないし図４に示すように平坦な上面１１を備え、複数の充分な径の大孔１２が形成された矩形の固定板１と、該固定板１の周囲に配設された枠体２と、前記固定板１の前記上面１１にスライド可能に配設され、種子が通過し得る複数の小孔３２が前記固定板１の前記複数の大孔１２に対応して形成されるとともに、該小孔３２の径の０．４ないし２倍の厚さを有する薄肉のスライド板３とから成るものである。
【００２５】
前記枠体２は、図１ないし図４に示すように４面の壁部を構成する４枚の有色透明の樹脂製の短冊状の板２１ないし２４を長手方向の両端において夫々接着して、ロの字状に形成され、前記板２１および２４に対向して前記スライド板のストローク量より若干おおきな間隔をおいて対向壁２５および２６が配設され、上面の矩形開口部を矩形板２７、２８によって塞ぐ構成より成る。
【００２６】
前記固定板１は、図１ないし図４に示すように無色透明であって樹脂製の略４ｍｍの厚肉矩形板部材１０によって構成され、前記枠体の３面２１ないし２３の内面に形成された溝２２０、２３０と該内面下部に接着された支持部材２１１、２２１、２３１の上面とに接着されるとともに、残りの一面２４を貫通して配設されている。
【００２７】
前記固定板１は、幅方向の４分の３の領域内に一定間隔で縦１６個、横１６個の直径８ｍｍの大孔１２が形成され、補強および平坦度を確保するために中央下面横方向に両端を前記枠体２を構成する短冊状の板２２および２３に接着した矩形断面のリブ１３の上面に接着され、前記枠体２の板２１に接着される２個のコーナー部に前記スライド板３のスライドに伴う空気抜き用の矩形状の切欠１４が形成されている。
【００２８】
前記スライド板３は、図１ないし図４に示すように前記固定板１に対応する無色透明の樹脂製の矩形板部材３０によって構成され、厚さが１．０ないし２．０ｍｍの範囲内の１ｍｍに設定され、周辺部の４辺の上面に幅２０ｍｍ厚さ３ｍｍの短冊状の厚肉部３３、３４、３５、３６を形成するとともに、中央部の横方向上面に矩形断面のリブ３７を配設したものである。
【００２９】
該スライド板３は、前記固定板１に対応して幅方向の４分の３の領域内に一定間隔で縦１６個、横１６個の小孔３２が形成され、該小孔の孔径は、１．０ないし２．５ｍｍの範囲内の前記固定板１の厚さの４分の１の薄肉に相当する１ｍｍに設定した。
【００３０】
前記スライド板３は、前記枠体２の壁部を構成する板２４に形成された矩形開口から挿入され、前記板２２および２３の内面に形成された溝内に介挿され、前記固定板１の平坦な前記上面１１上をスライドする構成より成り、一端に矩形の垂直壁３８を配設して、前記枠体２の壁部を構成する板２４との間にスライド板３のストローク量を規制するボルトとナットと同軸的に配設された２個のコイルスプリング３９を介挿して、前記垂直壁３８を押す力が解除されると該コイルスプリング３９の付勢力によってスライドして元に戻りうる構成より成る。
【００３１】
前記スライド板３に形成された前記小孔３２は、前記コイルスプリング３９の付勢力によって元に戻った状態においては、前記固定板１の大孔１２からオフセットしており、前記垂直壁３８が押され、該スライド板３の一端が前記枠体２の板２１の内壁に当接した状態において、前記固定板１の大孔１２と一致するすなわち前記固定板１の大孔１２の開口部の中に小孔３２が位置するように構成されている。
【００３２】
前記枠体２の壁部を構成する前記板２１および２４に対向して配設された前記対向壁２５および２６の下部に前記スライド板３の上面に配設された厚肉部３３および３６に下端が当接するようにシール板２５１、２６１が複数のビスによって固着され、種子が内部に進入するのを阻止する構成より成る。
【００３３】
前記固定板１およびスライド板３を構成する素材としては、ＭＭＡ、ＰＶＣ、ＰＣ、ＰＳ、ＡＢＳ樹脂他を採用することが出来る。
【００３４】
上記構成より成る第１実施例の育苗用播種装置は、前記コイルスプリング３９の付勢力によって元に戻った状態において、すなわち前記スライド板３に形成された前記小孔３２が、前記固定板１の大孔１２からオフセットした状態において、前記枠体２内前記スライド板３の上面に種子が供給される。
【００３５】
前記枠体２内前記スライド板３の上面に種子が供給された状態において、コイルスプリング３９の付勢力に抗して前記垂直壁３８が押され、該スライド板３の一端が前記枠体２の板２１の内壁に当接すると、前記スライド板３の前記小孔３２が前記固定板１の大孔１２と一致する、すなわち前記固定板１の大孔１２の開口部の中に前記小孔３２が位置する。
【００３６】
前記スライド板３の前記小孔３２が前記固定板１の大孔１２の開口部の中に位置すると、前記供給された種子が、前記薄肉のスライド板３の前記小孔３２を通過するとともに、前記厚肉の固定板１の大孔１２の前記開口部を通過して、下方に落下するものである。
【００３７】
上記作用を奏する第１実施例の育苗用播種装置は、前記スライド板３のスライドによって、供給された種子が、前記小孔３２の径に対して充分薄肉の前記スライド板の前記複数の小孔を通過するので、花の種子、特にそのコート種子のような微小種子をペーパーポットやプラスチック製の連結ポットに能率良く播種するという効果を奏する。
【００３８】
また第１実施例の育苗用播種装置は、前記種子が、１．０ｍｍの厚さに設定された薄肉の前記スライド板３に形成された１．０ｍｍの孔径に設定された前記複数の小孔３２を通過させるので、所定量の種子を均一に前記小孔３２に充填するため、一層能率良く播種するという効果を奏する。
【００３９】
さらに第１実施例の育苗用播種装置は、前記スライド板３の４辺の前記周辺部の上面に前記厚肉部３３ないし３６が形成され、前記スライド板３を補強するとともに平坦度を高めるので、摺動抵抗を低減して、前記スライド板３のスライドを滑らかにするとともに、一層能率良く播種するという効果を奏する。
【００４０】
また第１実施例の育苗用播種装置は、前記スライド板３の中央部の上面横方向に前記矩形断面のリブ３７を配設したため、前記スライド板３の中央部を補強するとともに平坦度を高めるので、前記スライド板３の中央部の摺動抵抗を低減して、前記スライド板３のスライドを滑らかにするとともに、一層能率良く播種するという効果を奏する。
【００４１】
すなわち、花の種子、特にそのコート種子のような微小種子を播種するため、前記スライド板３の厚さが薄くなるため、薄いスライド板だけであるとその強度および形状保持性が減少し、耐久性の低下、波打ち現象（局部的および全体的クリアランスの変化）、バネ手段の作動不良が発生し、機能停止することがあった。
【００４２】
そこで、本第１実施例においては、前記スライド板３の４辺の前記周辺部の上面に短冊状の前記厚肉部３３ないし３６が形成されるとともに、前記スライド板３の中央部の上面横方向に前記矩形断面のリブ３７を配設したため、前記スライド板３の強度および形状保持性を向上させるとともに、耐久性の低下、波打ち現象（局部的および全体的クリアランスの変化）の発生、バネ手段の作動不良および機能停止等を防止するものである。
【００４３】
前記スライド板３に局部的なクリアランスが発生すると、微小種子が入り込み、極端な場合は使用不能におちいることがあったが、かかる事態を回避することが出来る。
【００４４】
また第１実施例の育苗用播種装置は、前記板２１および２４に対向して前記スライド板のストローク量より若干大きな間隔をおいて対向壁２５および２６を配設するとともに、該対向壁２５および２６の下部に固着された前記シール板２５１、２６１の下端が、前記スライド板３の上面に配設された厚肉部３３および３６の上面に当接しているので、種子が内部に進入するのを阻止するという効果を奏する。
【００４５】
さらに第１実施例の育苗用播種装置は、前記板２１および２４とこれに対向する前記対向壁２５および２６とによって構成される上面の矩形開口部を、前記矩形板２７、２８によって塞ぐので、供給された種子が内部に進入するのを阻止するという効果を奏する。
【００４６】
また第１実施例の育苗用播種装置は、前記固定板１およびスライド板３を無色透明の合成樹脂によって構成したので、育苗箱の各ポット穴に播種穴である前記大孔１２および小孔３２を位置合わせが容易であるとともに、前記枠体２を有色透明な合成樹脂によって構成したので、識別が容易であり、誰でも簡単に扱うことが出来るという効果を奏する。
【００４７】
さらに第１実施例の育苗用播種装置は、前記スライド板３の左側４分の１の範囲において、小孔３２が形成されていない無孔領域が形成されているとともに、この領域に位置する厚肉部３４の上面の一面に傾斜面を形成してあるので、前記スライド板３を少し傾けるだけで、余った種子は無孔領域に集まり、余分な種子が落下するのを防止することが出来るという効果を奏する。
【００４８】
また第１実施例の育苗用播種装置は、前記固定板１の中央下面横方向に両端を前記枠体２を構成する短冊状の板２２および２３に接着した矩形断面のリブ１３が固着され  補強および平坦度を確保するとともに、軽量化を実現して、誰でも簡単に扱うことが出来るという効果を奏する。
【００４９】
（第２実施例）
第２実施例の育苗用播種装置は、図５および図６に示すように前記スライド板３および該スライド板に接着される厚肉部３３ないし３６を、テフロン（登録商標）その他の低摩擦材によって構成するとともに、小孔３２の孔径を２ｍｍとし、スライド板の板厚を１．５ｍｍにした点が前記第１実施例との相違点である。
【００５０】
前記枠体２を構成する前記板２１および２４に対向して間隔をおいて配設された前記対向壁２５および２６の下部に固着された前記シール板２５２、２６２は、図５に示すようにその下端内側に傾斜面を形成して楔形状に構成されている。
【００５１】
前記スライド板３に形成される小孔３２は、図５および図６に示すようにスライド板３の厚さ方向全域に亘る傾斜壁が形成され、上面開口は３ｍｍ、下面開口は２ｍｍのテーパ穴によって構成される。
なお、前記テーパ穴の寸法および容積は、種子のサイズ、種子の通過の容易性、要求される種子の落下量等を考慮して、総合的に決定される。
【００５２】
上記構成の第２実施例の育苗用播種装置は、周囲に前記枠体２が配設され、平坦な上面１１を備えた前記固定板１の前記上面１１上において、板厚１．５ｍｍの前記スライド板３の前記小孔３２の孔径を２ｍｍとされテフロン（登録商標）のような低摩擦材によって構成されている薄肉の前記スライド板３をスライドさせると、該スライド板３の上面１１に供給された種子が、前記固定板１の前記複数の大孔１２に対応して形成された前記複数の小孔３２を通過するとともに、前記固定板１に形成された複数の充分な径の大孔１２を通過するものである。
【００５３】
上記作用を奏する第２実施例の育苗用播種装置は、前記スライド板３が、テフロン（登録商標）等の低摩擦材によって構成されているため、前記固定板１の前記上面１１上における前記スライド板３のスライドを滑らかにするとともに、一層能率良く播種するという効果を奏する。
【００５４】
また第２実施例の育苗用播種装置は、前記スライド板３の板厚を１．５ｍｍにして、該スライド板３の強度および平坦度を高めるとともに、小孔３２の孔径を２ｍｍとし所定量の種子を均一に前記小孔３２に充填するため、均一かつ一様に播種するとともに、一層能率良くという効果を奏する。
【００５５】
さらに第２実施例の育苗用播種装置は、前記シール板２５２、２６２の下端内側が楔形状に構成されているので、該シール板２５２、２６２の下端とテフロン（登録商標）で構成された前記厚肉部との間に進入しようとする種子を斜め上方にガイドして、種子が内部に進入するのを一層有効に阻止するという効果を奏する。
【００５６】
また第２実施例の育苗用播種装置は、前記スライド板３に複数形成された小孔３２をテーパ穴としたので、種子の通過が容易になり、所定量の種子をスムーズに落下させることが出来るという効果を奏する。
【００５７】
（第３実施例）
第３実施例の育苗用播種装置は、図７に示すように前記スライド板３の左右の周辺部の下面に低摩擦材によって構成された厚肉部３４、３５を形成するとともに、前記固定板１の該厚肉部３４、３５に対応する部分に溝部１０４、１０５を形成して、前記スライド板３のガイド機構を構成するようにした点が前記第１実施例との相違点である。
【００５８】
上記構成より成る第３実施例の育苗用播種装置は、前記固定板１の前記上面１１において、前記スライド板３の前記低摩擦材の厚肉部３４、３５に対応する部分に形成された前記溝部１０４、１０５によって構成される前記ガイド機構上において、前記スライド板３をスライドさせると、該スライド板３の上面に供給された種子が、前記固定板１の前記複数の大孔１２に対応して形成された前記スライド板３の前記複数の小孔３２を通過するとともに、前記固定板１に形成された複数の充分な径の大孔１２を通過するものである。
【００５９】
上記作用を奏する第３実施例の育苗用播種装置は、前記スライド板３の低摩擦材の前記厚肉部３４、３５と前記固定板１の前記溝部１０４、１０５によって構成される前記ガイド機構に沿って該スライド板３をスライドさせるので、前記スライド板３のスライドを一層滑らかにし、確実且つ安定させるとともに、一層能率良く播種するという効果を奏する。
【００６０】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】本発明の第１実施例装置を示す斜視図である。
【図２】本第１実施例装置を示す平面図である。
【図３】本第１実施例装置を示す図２中のＡ−Ａ線に沿う断面図である。
【図４】本第１実施例における枠体と固定板およびスライド板との関係を示す部分断面図である。
【図５】本発明の第２実施例装置の特徴を示す部分断面図である。
【図６】本第２実施例における大孔および小孔の関係を示す拡大断面図である。
【図７】本発明の第３実施例装置の特徴を示す部分断面図である。
【図８】従来装置を示す部分断面図である。
【符号の説明】
１  固定板
２  枠体
３  スライド板
１１  上面
１２  大孔
３２  小孔
【図１】
0003590452.tif 000003
【図２】
0003590452.tif 000004
【図３】
0003590452.tif 000005
【図４】
0003590452.tif 000006
【図５】
0003590452.tif 000007
【図６】
0003590452.tif 000008
【図７】
0003590452.tif 000009
【図８】
0003590452.tif 000010